【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
支持体および該支持体上に設けられた感光層を有する電子写真感光体において、
該電子写真感光体の表面層が、
アクリロイルオキシ基またはメタクリロイルオキシ基を有し、トリフェニルアミン骨格を有する正孔輸送性化合物と、
下記式（１）または下記式（２）で示される化合物と、の共重合物を含有することを特徴とする電子写真感光体。
【化１】
2017191242.tif 000001
（式（１）中、ｍ１は２であり、Ｘ１は炭素数２以上１８以下の直鎖状あるいは分岐状のアルカン、無置換もしくは炭素数１以上１２以下の直鎖状あるいは分岐状のアルキル基を有する炭素数６以上１２以下の環状あるいは多環状のアルカン、および無置換もしくは炭素数１以上１２以下の直鎖状あるいは分岐状のアルキル基を有する炭素数６以上１２以下のアレーンのいずれかから２個の水素原子を除いた２価の基である。ただし、Ｘ１中の炭素数は２以上１８以下である。）
【化２】
2017191242.tif 000002
（式（２）中、ｍ２およびｍ３は１であり、Ｙ１は酸素原子または硫黄原子である。
Ｘ２は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかから２個の水素原子を除いた２価の基である。
Ｘ３は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかから２個の水素原子を除いた２価の基である。
ただし、Ｘ２およびＸ３中の炭素数の合計は２以上１６以下である。）
【請求項２】
前記式（１）で示される化合物のＸ１が、炭素数２以上１８以下の直鎖状あるいは分岐状のアルカン、および無置換もしくは炭素数１以上１２以下の直鎖状あるいは分岐状のアルキル基を有する炭素数６以上１２以下の環状あるいは多環状のアルカンのいずれかから２個の水素原子を除いた２価の基であり、
前記式（２）で示される化合物のＸ２が、炭素数１以上１５以下の直鎖状あるいは分岐状のアルカン、および無置換もしくは炭素数１以上９以下の直鎖状あるいは分岐状のアルキル基を有する炭素数６以上１２以下の環状あるいは多環状のアルカンのいずれかから２個の水素原子を除いた２価の基であり、
前記式（２）で示される化合物のＸ３が、炭素数１以上１５以下の直鎖状あるいは分岐状のアルカン、および無置換もしくは炭素数１以上９以下の直鎖状あるいは分岐状のアルキル基を有する炭素数６以上１２以下の環状あるいは多環状のアルカンのいずれかから２個の水素原子を除いた２価の基である、請求項１に記載の電子写真感光体。
ただし、Ｘ１中の炭素数は２以上１８以下であり、Ｘ２およびＸ３中の炭素数の合計は２以上１６以下である。
【請求項３】
前記式（１）で示される化合物のＸ１が、炭素数２以上１８以下の直鎖状あるいは分岐状のアルカンから２個の水素原子を除いた２価の基であり、
前記式（２）で示される化合物のＸ２が、炭素数１以上１５以下の直鎖状あるいは分岐状のアルカンから２個の水素原子を除いた２価の基であり、
前記式（２）で示される化合物のＸ３が、炭素数１以上１５以下の直鎖状あるいは分岐状のアルカンから２個の水素原子を除いた２価の基である、請求項１または２に記載の電子写真感光体。
ただし、Ｘ２およびＸ３中の炭素数の合計は２以上１６以下である。
【請求項４】
前記式（１）で示される化合物のＸ１が、炭素数２以上６以下の直鎖状あるいは分岐状のアルカンから２個の水素原子を除いた２価の基であり、
前記式（２）で示される化合物のＸ２が、炭素数１以上３以下の直鎖状あるいは分岐状のアルカンから２個の水素原子を除いた２価の基であり、
前記式（２）で示される化合物のＸ３が、炭素数１以上３以下の直鎖状あるいは分岐状のアルカンから２個の水素原子を除いた２価の基である、請求項１から３のいずれか１項に記載の電子写真感光体。
ただし、Ｘ２およびＸ３中の炭素数の合計は２以上４以下である。
【請求項５】
前記トリフェニルアミン骨格を有する正孔輸送性化合物が、下記式（３）で示される化合物である、請求項１から４のいずれか１項に記載の電子写真感光体。
【化３】
2017191242.tif 000003
（式（３）中、Ｐ１は下記式（４）または下記式（５）で示される基である。ａは、２以上４以下の整数であり、ａ個のＰ１は同一であっても異なっていてもよい。Ｚは正孔輸送性基を示し、該ＺのＰ１との結合部位を水素原子に置き換えた水素付加物は、下記式（６）、または下記式（７）で示される化合物である。
【化４】
2017191242.tif 000004
【化５】
2017191242.tif 000005
【化６】
2017191242.tif 000006
（式（６）中、Ｒ４、Ｒ５およびＲ６は置換基として炭素数１以上６以下のアルキル基を有してもよいフェニル基を示す。また、Ｒ４、Ｒ５およびＲ６はそれぞれ同一であっても異なっていてもよい。）
【化７】
2017191242.tif 000007
（式（７）中、Ｒ７、Ｒ８、Ｒ９およびＲ１０は置換基として炭素数１以上６以下のアルキル基を有してもよいフェニル基を示す。また、Ｒ７、Ｒ８、Ｒ９およびＲ１０はそれぞれ同一であっても異なっていてもよい。））
【請求項６】
前記表面層中に含有される正孔輸送性化合物の含有質量をＭａ、前記式（１）または前記式（２）で示される化合物の含有質量をＭｂとしたとき、０．０５≦Ｍｂ／（Ｍａ＋Ｍｂ）≦０．５０である、請求項１から５のいずれか１項に記載の電子写真感光体。
【請求項７】
支持体および該支持体上に設けられた表面層を有する電子写真感光体を製造する電子写真感光体の製造方法であって、
該製造方法が、
アクリロイルオキシ基またはメタクリロイルオキシ基を有し、トリフェニルアミン骨格を有する正孔輸送性化合物と、下記式（１）または下記式（２）で示される化合物と、を含有する表面層用塗布液を調製する工程、および
該表面層用塗布液の塗膜を形成し、該塗膜を硬化させることによって表面層を形成する工程を有することを特徴とする電子写真感光体の製造方法。
【化８】
2017191242.tif 000008
（式（１）中、ｍ１は２であり、Ｘ１は炭素数２以上１８以下の直鎖状あるいは分岐状のアルカン、無置換もしくは炭素数１以上１２以下の直鎖状あるいは分岐状のアルキル基を有する炭素数６以上１２以下の環状あるいは多環状のアルカン、および無置換もしくは炭素数１以上１２以下の直鎖状あるいは分岐状のアルキル基を有する炭素数６以上１２以下のアレーンのいずれかから２個の水素原子を除いた２価の基である。ただし、Ｘ１中の炭素数は２以上１８以下である。）
【化９】
2017191242.tif 000009
（式（２）中、ｍ２およびｍ３は１であり、Ｙ１は酸素原子または硫黄原子である。
Ｘ２は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかから２個の水素原子を除いた２価の基である。
Ｘ３は炭素数１以上１５以下の直鎖状あるいは分岐状のアルカン、無置換もしくは炭素数１以上９以下の直鎖状あるいは分岐状のアルキル基を有する炭素数６以上１２以下の環状あるいは多環状のアルカン、および無置換もしくは炭素数１以上９以下の直鎖状あるいは分岐状のアルキル基を有する炭素数６以上１２以下のアレーンのいずれかから２個の水素原子を除いた２価の基である。
ただし、Ｘ２およびＸ３中の炭素数の合計は２以上１６以下である。）
【請求項８】
請求項１から６のいずれか１項に記載の電子写真感光体と、
該電子写真感光体を帯電する帯電手段、該電子写真感光体の表面に形成された静電潜像をトナーによって現像して該電子写真感光体の表面にトナー像を形成する現像手段、該トナー像を該電子写真感光体の表面から転写材に転写する転写手段、および該電子写真感光体の表面をクリーニングするクリーニング手段からなる群より選択される少なくとも１つの手段と、を一体に支持し、電子写真装置本体に着脱自在であることを特徴とするプロセスカートリッジ。
【請求項９】
請求項１から６のいずれか１項に記載の電子写真感光体、ならびに
該電子写真感光体を帯電する帯電手段、
該電子写真感光体の表面に露光光を照射して該電子写真感光体の表面に静電潜像を形成する露光手段、
該静電潜像をトナーによって現像して該電子写真感光体の表面にトナー像を形成する現像手段、および
該トナー像を該電子写真感光体の表面から転写材に転写する転写手段を有する電子写真装置。